(57)【要約】【課題】栽培装置において、植物の葉の裏側にも光を当たるようにする。【解決手段】栽培装置１０は、発光部１００及び支持部１２０を備えている。発光部１００は、植物が栽培される栽培エリアを側方及び上方から取り囲んでおり、かつ、内側に向けて光を出射する発光面を有している。また発光部１００は、伸張部１０１を有している。伸張部１０１は、折りたたまれた状態から開くことによって垂直方向に伸張する。そして支持部１２０は、発光部１００を上方から支持する。【選択図】図１
2014161304.tif 000002
【特許請求の範囲】
【請求項１】
植物が栽培される栽培エリアを側方及び上方から取り囲み、かつ折りたたまれた状態から開くことによって垂直方向に伸張する伸張部を有し、内側に向けて光を出射する発光部と、
前記発光部を上方から支持する支持部と、
を備える栽培装置。
【請求項２】
請求項１に記載の栽培装置において、
前記発光部は、発光層を含む有機層を備える栽培装置。
【請求項３】
請求項２に記載の栽培装置において、
前記発光部は、可撓性基板を備え、
前記有機層は前記可撓性基板に形成されている栽培装置。
【請求項４】
請求項１〜３のいずれか一項に記載の栽培装置において、
前記支持部の高さを調節する高さ調節部を備える栽培装置。
【請求項５】
請求項４に記載の栽培装置において、
前記発光部のうち前記栽培エリアに面する面に設けられたタッチセンサを備え、
前記高さ調整部は、前記タッチセンサの検出結果に基づいて前記支持部の高さを制御する栽培装置。
【請求項６】
請求項１〜５のいずれか一項に記載の栽培装置において、
前記栽培エリアを撮像して画像データを生成する撮像部と、
前記画像データを処理して植物の生長度合いを判断し、当該判断結果に基づいて前記発光部を制御する制御部と、
を備える栽培装置。
【請求項７】
請求項１〜５のいずれか一項に記載の栽培装置において、
前記発光部は、最大ピーク波長が変更可能であり、
前記栽培エリアで栽培されている植物の生長度合いを判断する生長判断部と、
前記生長判断部の判断結果に基づいて、前記発光部の最大ピーク波長を設定する制御部と、
を備える栽培装置。
【請求項８】
植物が栽培される栽培エリアを側方及び上方から取り囲み、かつ折りたたまれた状態から開くことによって垂直方向に伸張する伸張部を有し、光を出射する発光部を内側に向けて光が出射される方向に保持する保持部と、
前記保持部を上方から支持する支持部と、
を備える栽培装置。
【請求項９】
植物が栽培される栽培エリアを側方から囲み、内側に向けて光が出射する発光部を有する筒を複数段有し、
２段目以上の前記筒を一つ下の前記筒から引き出した状態で固定する固定部材を備える栽培装置。
【発明の詳細な説明】
【技術分野】
【０００１】
本発明は、植物を栽培する栽培装置に関する。
【背景技術】
【０００２】
近年は、人工的な光を植物に照射することにより、植物を栽培することが検討されている。例えば特許文献１には、栽培トレイを載置するトレイ載置棚の上方に照明具を配置し、植物の生長に合わせて栽培トレイ載置棚と照明具の間隔を調節することが記載されている。
【０００３】
また特許文献２には、植物を水平方向に生長させ、かつ、その生長方向に合わせて光照射ユニットを伸縮自在にすることが記載されている。詳細には、光照射ユニットは円筒型の提灯形状の周壁を有している。周壁の内壁は反射面となっており、また、周壁の内側には環状発光体が設けられている。
【先行技術文献】
【特許文献】
【０００４】
【特許文献１】特開２０１２−９０５８３号公報
【特許文献２】特開２０１２−１００５９１号公報
【発明の概要】
【発明が解決しようとする課題】
【０００５】
本発明者は、植物の育成スピードを上げるためには、植物の葉の裏側にも光を当てることが好ましい、と考えた。
【０００６】
本発明が解決しようとする課題としては、栽培装置において、植物の葉の裏側にも光が当たるようにすることが一例として挙げられる。
【課題を解決するための手段】
【０００７】
請求項１に記載の発明は、植物が栽培される栽培エリアを側方及び上方から取り囲み、かつ折りたたまれた状態から開くことによって垂直方向に伸張する伸張部を有し、内側に向けて光を出射する発光部と、
前記発光部を上方から支持する支持部と、
を備える栽培装置である。
【０００８】
請求項８に記載の発明は、植物が栽培される栽培エリアを側方及び上方から取り囲み、かつ折りたたまれた状態から開くことによって垂直方向に伸張する伸張部を有し、光を出射する発光部を内側に向けて光が出射される方向に保持する保持部と、
前記保持部を上方から支持する支持部と、
を備える栽培装置である。
【０００９】
請求項９に記載の発明は、植物が栽培される栽培エリアを側方から囲み、内側に向けて光が出射する発光部を有する筒を複数段有し、
２段目以上の前記筒を一つ下の前記筒から引き出した状態で固定する固定部材を備える栽培装置である。
【図面の簡単な説明】
【００１０】
【図１】実施形態１に係る栽培装置の構成を示す斜視図である。
【図２】実施例１に係る栽培装置の構成及びその使用方法を示す図である。
【図３】実施例１に係る栽培装置の構成及びその使用方法を示す図である。
【図４】（ａ）は実施例２に係る栽培装置の構成を示す断面図であり、（ｂ）は発光パネルの構成を示す斜視図である。
【図５】実施例３に係る栽培装置に用いられる発光パネルの構成を示す斜視図である。
【図６】実施例３に係る栽培装置に用いられる発光パネルの構成を示す斜視図である。
【図７】実施例４に係る栽培装置の構成を示す斜視図である。
【図８】スライド部が連結部に沿ってスライド可能にするための構成の一例を示す断面図である。
【図９】実施例５に係る栽培装置の構成を示す斜視図である。
【図１０】実施例６に係る栽培装置の構成を示す斜視図である。
【図１１】制御部による支持部の高さの制御フローの第１例を示すフローチャートである。
【図１２】制御部による支持部の高さの制御フローの第２例を示すフローチャートである。
【図１３】実施例７に係る栽培装置の構成を示す図である。
【図１４】実施例８に係る栽培装置の構成を示す図である。
【図１５】実施例９に係る栽培装置の構成を示す断面図である。
【図１６】実施形態２に係る栽培装置の構成を示す斜視図である。
【図１７】内側の発光パネルを引き出すときの固定部材の働きを説明するための図である。
【図１８】発光パネルを他の発光パネルの内側に収容するときの固定部材の働きを説明するための図である。
【図１９】実施形態３に係る栽培装置の構成を示す斜視図である。
【図２０】実施形態４に係る栽培装置の構成を示す斜視図である。
【図２１】実施形態５に係る栽培装置の構成を示す図である。
【図２２】実施形態６に係る栽培装置の構成を示す図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
なお、以下に示す説明において、制御部１４０の各構成要素は、ハードウエア単位の構成ではなく、機能単位のブロックを示している。制御部１４０の各構成要素は、任意のコンピュータのＣＰＵ、メモリ、メモリにロードされた本図の構成要素を実現するプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１３】
（実施形態１）
図１は、実施形態１に係る栽培装置１０の構成を示す斜視図である。実施形態に係る栽培装置１０は、発光部１００及び支持部１２０を備えている。発光部１００は、植物が栽培される栽培エリアを側方及び上方から取り囲んでおり、かつ、内側に向けて光を出射する発光面を有している。また発光部１００は、伸張部１０１を有している。伸張部１０１は、折りたたまれた状態から開くことによって垂直方向に伸張する。そして支持部１２０は、発光部１００を上方から支持する。以下、栽培装置１０の構成の一例を説明する。
【００１４】
発光部１００は、例えば、発光パネル１０２の一面を発光面として有している。この発光面における光源として、例えば有機ＥＬ（Organic Electroluminescence）素子、又はＬＥＤ（Lignt Emitting Diode）を有している。有機ＥＬ素子は、発光層を含む有機層を有している。有機層は、塗布法を用いて形成されていても良いし、蒸着法を用いて形成されていても良い。
【００１５】
本図に示す例において、伸張部１０１は、複数の発光パネル１０２及び少なくとも一つの連結部１０４によって構成されている。隣り合う発光パネル１０２は、連結部１０４によって回転可能に連結されている。連結部１０４は、例えば蝶番と同様の構造を有している。そして、発光部１００の断面形状が多角形（例えば５角形）である場合、連結部１０４は、多角形の各頂点に配置されている。そして連結部１０４のうち少なくとも２つは、栽培トレイ１６２の表面に配置されている。発光パネル１０２は、隣り合う連結部１０４の間の領域を塞ぐように、すなわち多角形の辺に沿って設けられている。すなわち連結部１０４は、発光パネル１０２を保持する保持部としても機能している。ただし発光パネル１０２は、多角形のうち栽培トレイ１６２の表面に沿った辺には設けられていない。
【００１６】
支持部１２０は、発光部１００が有する連結部１０４の一つを上方から支持している。調節部１３０によって高さが調節される調節部１３０の動作及び発光部１００の発光は、制御部１４０によって制御される。このため、容易に支持部１２０の高さを調節することができる。
【００１７】
本実施形態によれば、発光部１００は支持部１２０によって上方から支持されている。そして支持部１２０が上方に移動することにより、伸張部１０１は、水平方向に折りたたまれた状態から開く。このため、植物が小さいときには伸張部１０１の折りたたみ角度は小さい（開いていない）ため、発光パネル１０２のうち相対的に下に位置するほうは、上方に向けて光を出射する。このため、植物が小さいときには、植物の葉の裏側にも光を当てることができる。その結果、植物の育成スピードを上げることができる。また、植物の育成とともに、支持部１２０が上方に移動し、伸張部１０１は、水平方向に折りたたまれた状態から開くような構造となっている。このため、栽培装置１０は、植物の育成状態に応じて光を当てることができる。
【００１８】
また、発光パネル１０２は有機ＥＬ素子又はＬＥＤ素子を有している。このため、栽培装置１０の消費電力を少なくすることができる。特に発光パネル１０２が有機ＥＬ素子を有している場合、発光パネル１０２を半透明にすることができる。この場合、栽培装置１０の外側から植物を観察することができる。
【００１９】
また、発光パネル１０２を連結部１０４から取り外し、その後新たな発光パネル１０２を取り付けることにより、発光パネル１０２のみを取り替えることができる。
【００２０】
（実施例１）
図２及び図３の各図は、実施例１に係る栽培装置１０の構成及びその使用方法を示す図である。本実施例に係る栽培装置１０は、以下の点を除いて、実施形態に係る栽培装置１０と同様の構成である。
【００２１】
まず、連結部１０４の一つは、フック１１２，１１４によって形成されている。フック１１２は、その連結部１０４に繋がっている発光パネル１０２の端部に形成されている。またフック１１４は、その連結部１０４に繋がっている発光パネル１０２の端部に形成されている。そして、図３（ａ）に示すように、フック１１２及びフック１１４が互いにかみ合うことにより、連結部１０４が形成される。
【００２２】
また、発光パネル１０２は可撓性基板を用いて形成されている。可撓性基板は、例えば樹脂材料で形成されている。
【００２３】
本実施例では、図２（ａ）に示すように、植物が小さいときには、伸張部１０１を構成する発光パネル１０２のうち下側に位置する部分は、栽培トレイ１６２に対して平行に近い状態になっている。このため、植物の葉の裏側に光が照射される。
【００２４】
そして図２（ｂ），（ｃ）に示すように、植物が大きくなるにつれて、支持部１２０は上方に引き上げられる。これに伴い、伸張部１０１は、水平方向に折りたたまれた状態から開くことによって垂直方向に伸張する。この状態では、図３（ｂ）及び図３（ｃ）に示すように、フック１１２，１１４は互いにかみ合ったままである。
【００２５】
そして図２（ｄ）に示すように、植物が収穫可能な程度に大きくなると、それに合わせて支持部１２０も引き上げられる。すると、図３（ｄ）に示すように、フック１１２とフック１１４からなる連結部１０４の角度は広がり、フック１１２とフック１１４は外れる。
【００２６】
本実施例によれば、実施形態１と同様の効果を得ることができる。また、発光パネル１０２は可撓性基板を用いて形成されているため、植物の生長に合わせて発光パネル１０２の形状を変えることもできる。
【００２７】
また、連結部１０４の少なくとも一つは、フック１１２，１１４によって形成されている。そして植物が収穫可能な程度に大きくなり、それに合わせて支持部１２０が引き上げられると、フック１１２，１１４は外れる。このため、植物が収穫可能な程度に大きくなったことを容易に判断することができる。また植物の収穫を容易に行うことができる。
【００２８】
（実施例２）
図４（ａ）は、実施例２に係る栽培装置１０の構成を示す断面図である。図４（ｂ）は、本実施形態で用いられる発光パネル１０２の構成を示す斜視図である。本実施例に係る栽培装置１０は、連結部１０４の代わりに伸縮部２２０が設けられている点を除いて、実施形態１又は実施例１と同様の構成である。なお、本図に示す例において、栽培トレイ１６２上には保護シート１６３が設けられている。植物の種は、保護シート１６３の下に配置される。そして種から発芽した植物は、保護シート１６３を突き破る。
【００２９】
本図に示す栽培装置１０において、互いに隣り合う２つの発光パネル１０２は、伸縮部２２０を用いて連結されている。伸縮部２２０は、例えば伸縮可能な樹脂によって形成されている。伸縮部２２０は、光透過性を有していても良い。
【００３０】
本実施例によれば、実施形態１又は実施例１と同様の効果を得ることができる。また、連結部１０４として伸縮部２２０を有しているため、発光部１００を軽量にすることができる。
【００３１】
（実施例３）
図５及び図６は、それぞれ、実施例３に係る栽培装置１０に用いられる発光パネル１０２の構成を示す斜視図である。本実施例に係る栽培装置１０は、以下の点を除いて、実施形態１又は実施例１に係る栽培装置１０と同様の構成である。
【００３２】
まず、発光部１００は連結部１０４を有していない。その代わりに、発光パネル１０２が折れ曲がって蛇腹状になっている。すなわち本実施形態では、発光パネル１０２そのものが伸張部となっている。なお、発光パネル１０２のうち折れ曲がっている部分の断面形状は、図５のように三角形の２辺に沿った形状であってもよいし、図６のように四角形の３辺に沿った形状であっても良い。
【００３３】
本実施例によれば、実施形態１又は実施例１と同様の効果を得ることができる。また、連結部１０４を必要とせずに、所望する部分で発光パネル１０２を折り曲げることができるため、発光部１００の断面形状を所望の形状にしやすくなる。
【００３４】
（実施例４）
図７の各図は、実施例４に係る栽培装置１０の構成を示す斜視図である。本実施例に係る栽培装置１０は、以下の点を除いて実施形態１に係る栽培装置１０と同様の構成である。
【００３５】
まず、発光部１００は、連結部１０４が延伸している方向で複数の領域に分割されている。そして分割されている領域の少なくとも一つが、スライド部１１０となっている。スライド部１１０は、連結部１０４に沿ってスライド可能になっている。そして、図７（ｂ）に示すように、スライド部１１０が連結部１０４に沿ってスライドすることにより、人が栽培エリアに入るための入り口が形成される。人が栽培エリアに入ることに限らず、刈り入れ作業、又は植物の生育確認等においても有用である。
【００３６】
図８は、スライド部１１０が連結部１０４に沿ってスライド可能にするための構成の一例を示す断面図である。本図に示す例において、連結部１０４は断面が円形の棒となっており、その周囲は、外筒１０５によって覆われている。そして外筒１０５と連結部１０４の間には、ベアリング１０６が配置されている。
【００３７】
本実施例によっても、実施形態１と同様の効果を得ることができる。また、スライド部１１０を設けているため、人は栽培エリアに入りやすい。また、栽培に必要な刈り入れ作業、植物の生育確認をはじめとする作業効率が向上する。
【００３８】
（実施例５）
図９は、実施例５に係る栽培装置１０の構成を示す斜視図である。本実施例に係る栽培装置１０は、少なくとも一つの発光パネル１０２において発光素子が縞状に配置されている点を除いて、実施例４に係る栽培装置１０と同様の構成である。本実施例において、発光パネル１０２は縞状に発光する。縞状の発光は、平行光を照射することとは異なるため、植物に満遍なく光を照射することができる。なおこの縞の向きはどのように向いていても良い。
本実施例によっても、実施例４と同様の効果を得ることができる。
【００３９】
（実施例６）
図１０は、実施例６に係る栽培装置１０の構成を示す斜視図である。本実施例に係る栽培装置１０は、発光パネル１０２がタッチセンサ１０３を有している点を除いて、実施形態１及び実施例１〜５のいずれかと同様の構成である。
【００４０】
タッチセンサ１０３は、発光パネル１０２のうち栽培エリアに面する面に物が触れたことを検出する。タッチセンサ１０３は、例えば発光パネル１０２の中に組み込まれている。タッチセンサ１０３の検出結果は、制御部１４０に出力される。制御部１４０は、タッチセンサ１０３の検出結果に基づいて、支持部１２０の高さを制御する。
【００４１】
また発光パネル１０２は、光の最大ピーク波長及び強度が変更可能になっている。例えば発光パネル１０２が有機ＥＬを有している場合、この有機ＥＬは、複数種類の発光エリアを有していてもよい。この場合、各発光エリアは、互いに最大ピーク波長が異なっており、また、制御部１４０は、各発光エリアの発光強度を互いに独立して制御できるようになっている。なお、最大ピーク波長とは、発光スペクトルのうち強度が最大となる波長を指す。そして制御部１４０は、支持部１２０の高さ、すなわち植物の生長度合いに応じて、発光部の光の最大ピーク波長及び強度を設定する。例えば制御部１４０は、植物が発芽するまでは、発光パネル１０２から赤色の光を発光させ、植物が生長している間は発光パネル１０２から赤色と青色の光を発光させる。また制御部１４０は、植物が花を咲かせるような高さになった場合は赤色の光を強くする。その後、制御部１４０は、植物が実をつけるタイミングになった場合には、さらに紫外光を発光させる。
【００４２】
図１１は、制御部１４０による支持部１２０の高さの制御フローの第１例を示すフローチャートである。まず、制御部１４０は、カウント数ｎを０にする（ステップＳ１０）。このカウント数ｎは、支持部１２０の高さを示すものである。
【００４３】
制御部１４０は、タッチセンサ１０３の検出結果に基づいて、タッチセンサ１０３に物が触れているか否かを判断する（ステップＳ１２）。タッチセンサ１０３に物が触れていると判断した場合（ステップＳ１２：Ｙｅｓ）、その物は、継続して予め定められた時間（例えば３分間）以上タッチセンサ１０３に触れているか否かを判断する（ステップＳ１４）。ステップＳ１４の条件を満たした場合、制御部１４０は、植物が生長してタッチセンサ１０３に触れていると判断し、調節部１３０を制御して、支持部１２０を１ステップ上昇させる（ステップＳ１６）。
【００４４】
そして、カウント数ｎが予め定められた値に達していた場合、すなわち支持部１２０の位置が予め定められた高さに達したと判断された場合（ステップＳ１８：Ｙｅｓ）、制御部１４０は、植物を収穫すべき旨を示す信号を出力する（ステップＳ２０）。また、カウント数ｎが予め定められた値未満である場合、カウント数ｎを一つ増やし、ステップＳ１２に戻る（ステップＳ１９）。
【００４５】
図１２は、制御部１４０による支持部１２０の高さの制御フローの第２例を示すフローチャートである。本図に示すフローは、以下の点を除いて、図１１に示したフローと同様である。
【００４６】
タッチセンサ１０３に予め定められた時間継続して物が触れており（ステップＳ１４）、かつ、タッチセンサ１０３が複数のエリアで物を検出していた場合、すなわち広範囲にわたってタッチセンサ１０３に物が触れていた場合（ステップＳ１５）、制御部１４０は、植物が生長してタッチセンサ１０３に触れていると判断する。そして制御部１４０は、調節部１３０を制御して、支持部１２０を１ステップ上昇させる（ステップＳ１６）。
【００４７】
本実施例によっても、実施形態１及び実施例１〜５のいずれかと同様の効果を得ることができる。また、発光部１００がタッチセンサ１０３を有している。このため、制御部１４０は、タッチセンサ１０３の検出結果を用いることにより、植物の成長に合わせて支持部１２０の高さを合わせることができる。
【００４８】
また、制御部１４０は、支持部１２０の高さ、すなわち植物の生長度合いに応じて、発光部の光の最大ピーク波長及び強度を設定する。従って、植物の生長や実の生長をさらに促進することができる。
【００４９】
（実施例７）
図１３は、実施例７に係る栽培装置１０の構成を示す図である。本実施例に係る栽培装置１０は、以下の点を除いて、実施例６と同様の構成である。
【００５０】
まず、栽培装置１０は、タッチセンサ１０３を有していない。その代わり、栽培装置１０は、撮像部１５０を有している。撮像部１５０は、栽培装置１０の内部すなわち栽培エリアを撮像している。撮像部１５０が生成した画像データは、制御部１４０に出力される。制御部１４０は、受信した画像データを処理して植物の生長度合いを判断し、当該判断結果に基づいて、支持部１２０の高さ及び発光パネル１０２の光の最大ピーク波長及び強度を制御する。例えば制御部１４０は、画像処理によって植物と発光パネル１０２の距離を判断することにより、植物の生長度合いを判断する。
【００５１】
本実施例によっても、実施例６と同様の効果を得ることができる。
【００５２】
（実施例８）
図１４は、実施例８に係る栽培装置１０の構成を示す図である。本実施例に係る栽培装置１０は、棚３００を有している点を除いて、実施形態１又は実施例１〜７のいずれかに係る栽培装置１０と同様の構成である。
【００５３】
棚３００は、複数の支柱３０２の間に載置棚３０４が設けられた構成を有している。載置棚３０４は、高さ方向に所定の間隔を空けて複数設けられている。複数の載置棚３０４は、いずれも高さ方向に移動可能である。そして載置棚３０４のそれぞれには、栽培トレイ１６２、発光部１００、及び支持部１２０が搭載される。支持部１２０の上部は、一つ上の載置棚３０４の下面に設けられた調節部１３０に取り付けられる。
【００５４】
そして、新しい栽培トレイ１６２を載せた載置棚３０４は、棚３００のうち最も下の段に挿入される。その際、既に挿入されている載置棚３０４は、上方に移動する。これが繰り返されることにより、棚３００のうち最も上の載置棚３０４の植物が、最も収穫時期が近いことになる。
【００５５】
本実施例によっても、実施形態１又は実施例１〜７のいずれかと同様の効果を得ることができる。また、複数の栽培トレイ１６２、発光部１００、及び支持部１２０を高さ方向に重ねることができるため、植物の栽培効率が向上する。また、最も収穫時期が近い植物は、棚３００の最も上にくることになるため、収穫が容易になる。
【００５６】
（実施例９）
図１５の各図は、実施例９に係る栽培装置１０の構成を示す断面図である。本実施例に係る栽培装置１０は、栽培装置１０の断面形状を除いて、実施形態１及び実施例１〜８のいずれかと同様の構成を有している。
【００５７】
本実施例に係る栽培装置１０は、例えばキャベツなどの結球する植物を栽培するものであり、連結部１０４を７つ有している。具体的には、一つの連結部１０４は支持部１２０によって支持されている。そしてこの連結部１０４を通る垂直線を基準に、６つの連結部１０４は３つずつ線対称に配置されている。そして発光パネル１０２は、結球した葉を囲むような形状を有している。
【００５８】
また、栽培装置１０の端部は、栽培トレイ１６２内に差し込まれている。この端部は、栽培トレイ１６２を貫通していてもよい。この場合、栽培トレイ１６２の端部は、栽培トレイ１６２を支持するベースに固定される。
【００５９】
本実施例によっても、実施形態１及び実施例１〜８のいずれかと同様の効果を得ることができる。
【００６０】
（実施形態２）
図１６の各図は、実施形態２に係る栽培装置１０の構成を示す斜視図である。本図に示す栽培装置１０は、栽培トレイ１６２上に、発光部を有する筒、例えば筒状の発光パネル１０２を複数段設けたものである。各発光部（例えば発光パネル１０２）は、制御部１４０によって制御されている。筒の断面形状は、例えば円形であるが、他の形状、例えば多角形であってもよい。以下、筒を発光パネル１０２として説明を行う。
【００６１】
図１６（ａ）に示すように、植物が生長する前において、複数の筒状の発光パネル１０２の一つ（例えば最も上側に位置すべき発光パネル１０２または最も下側に位置すべき発光パネル１０２）は、他の発光パネル１０２を内側に収容している。そして植物が生長するに従い、図１６（ｂ）に示すように、内側に収容されている発光パネル１０２が一段ずつ引き出される。
【００６２】
そして栽培装置１０は、固定部材１７０を有している。固定部材１７０は、２段目以上の発光パネル１０２を一つ下の発光パネル１０２から引き出した状態で固定する。固定部材１７０は、発光パネル１０２の一方の縁に沿って互いに離間して複数設けられている。本図に示す例では、固定部材１７０は、発光パネル１０２の下側の縁に沿って設けられている。ただし固定部材１７０は、発光パネル１０２の上側の縁に沿って設けられていてもよい。
【００６３】
発光パネル１０２が引き出される方向の断面で見た場合、固定部材１７０は長方形の角の一つを切り欠いた形状を有している。固定部材１７０は、この切り欠いた部分（凹部１７２）に、その固定部材１７０が取り付けられている発光パネル１０２の一つ下（又は一つ上）の発光パネル１０２の縁を受け入れる。このようにして、固定部材１７０は、発光パネル１０２を、他の発光パネル１０２から引き出された状態で固定する。
【００６４】
図１７の各図は、内側の発光パネル１０２を引き出すときの固定部材１７０の働きを説明するための図である。発光パネル１０２は、他の発光パネル１０２の内側に収容されているとき、外側（断面が円形であれば径方向）に広がろうとしている。このため、図１７（ａ）及び（ｂ）に示すように、発光パネル１０２を他の発光パネル１０２から引き出すと、引き出された発光パネル１０２のふちは固定部材１７０の凹部１７２に嵌る。このようにして、固定部材１７０は発光パネル１０２を固定する。
【００６５】
図１８の各図は、発光パネル１０２を他の発光パネル１０２の内側に収容するときの固定部材１７０の働きを説明するための図である。固定部材１７０は、その固定部材１７０が固定されている発光パネル１０２（図１８の例では上側の発光パネル１０２）と接している部分を回転軸として、発光パネル１０２の端面を覆う方向に回転可能になっている。
【００６６】
そして図１８（ｂ）に示すように、固定部材１７０を回転させると、収容されるべき発光パネル１０２の端部は、固定部材１７０によって内側に押し込まれる。この状態で、収容されるべき発光パネル１０２は、収容する側の発光パネル１０２に向けて押し込まれる。その後、図１８（ｃ）に示すように、固定部材１７０は回転前の状態に戻される。
【００６７】
本実施形態によれば、発光パネル１０２からの光を用いて植物を成長させることができる。また、植物を栽培している状態の栽培装置１０をインテリアとして使用することができる。
【００６８】
（実施形態３）
図１９の各図は、実施形態３に係る栽培装置１０の構成を示す斜視図である。本実施形態に係る栽培装置１０は、発光パネル１０２及び制御部１４０を有している。発光パネル１０２は、例えば有機ＥＬであり、筒形状を有している。筒の断面形状は円形であっても良いし、多角形であってもよい。そして発光パネル１０２は、植物を側方から囲んでいる。また発光パネル１０２は、実施形態２と同様に、多段に形成されていても良い。
【００６９】
また、発光パネル１０２は、縞状の発光エリア１０７を有している。発光エリア１０７は、縦縞であっても良いし、横縞であっても良いし、斜め縞であってもよい。
【００７０】
また、発光パネル１０２は、複数種類の発光エリアを有していてもよい。この場合、各発光エリアは、互いに最大ピーク波長が異なっている。例えば各発光エリアは、互いに異なる色の光を出射する。また、制御部１４０は、各発光エリアを互いに独立して制御できるようになっている。
【００７１】
また、発光パネル１０２のうち発光エリア１０７が形成されていない部分は半透明、又は透明になっている。このため、発光パネル１０２を介して植物の生長度合いを確認することができる。
【００７２】
本実施形態によれば、発光パネル１０２からの光を用いて植物を成長させることができる。また、発光パネル１０２の発光エリアが縞状になっているため、栽培装置１０をインテリアとして使用することもできる。
【００７３】
（実施形態４）
図２０は、実施形態４に係る栽培装置１０の構成を示す斜視図である。本実施形態に係る栽培装置１０は、以下の点を除いて、実施形態３に係る栽培装置１０と同様の構成である。
【００７４】
まず、発光パネル１０２の発光エリア１０７は縞状にはなっていない。発光パネル１０２は、周方向に、発光エリア１０７となる領域と透明部１０８となる領域に分けられている。そして、栽培装置１０は、発光パネル１０２を回転させる駆動部１４２を有している。駆動部１４２は、制御部１４０によって制御されている。
【００７５】
そして制御部１４０は、透明部１０８が予め定められた角度にある場合にのみ、発光エリア１０７を点灯させる。
【００７６】
本実施形態によっても、実施形態３と同様の効果を得ることができる。また、制御部１４０は駆動部１４２を制御することにより、植物を中心に発光パネル１０２を回転させる。そして、透明部１０８が予め定められた角度、例えばユーザと植物の間にある場合にのみ、発光エリア１０７を点灯させる。このようにすることで、ユーザに植物を観賞させつつ、植物に光を当てることができる。また、発光パネル１０２を回転させているため、ユーザは、発光パネル１０２の存在を意識しにくくなる。
【００７７】
（実施形態５）
図２１の各図は、実施形態５に係る栽培装置１０の構成を示す図である。本実施形態に係る栽培装置１０は、栽培トレイ１６２を支持する伸縮部１６０を有している。そして図２１（ｂ）に示すように、栽培トレイ１６２上の植物が成長するにつれて、伸縮部１６０は縮んでいく。
【００７８】
伸縮部１６０の下部は、台座１６４によって支持されている。伸縮部１６０、栽培トレイ１６２、及び台座１６４は、発光パネル１０２によって覆われている。本図に示す例において、発光パネル１０２は球面に沿った形状を有している。ただし発光パネル１０２は他の形状、例えば円筒であっても良い。そして発光パネル１０２の発光領域は、制御部１４０によって制御されている。制御部１４０は、発光パネル１０２のうち栽培トレイ１６２より上の部分を発光させる。栽培トレイ１６２の高さは、例えば位置センサによって検出されても良いし、制御部１４０が伸縮部１６０を制御することにより、制御部１４０に認識されても良い。
【００７９】
本実施形態によれば、植物の生長に合わせて発光パネル１０２が発光する領域を制御するため、発光パネル１０２の消費電力を少なくすることができる。また、植物の側方からも光を当てることができるため、植物の生長を早めることができる。
【００８０】
（実施形態６）
図２２は、実施形態６に係る栽培装置１０の構成を示す図である。本実施形態に係る栽培装置１０において、発光パネル１０２は、錐、例えば円錐又は角錐の先端を切断し、それを横に倒した形状を有している。そして発光パネル１０２の内面のうち下を向いている部分には、レール４００が設けられており、栽培トレイ１６２はレール４００上に並べられている。そして栽培トレイ１６２は、レール４００上を、発光パネル１０２が形成する錘の先端から底面に向かう方向（図２２においては右から左）に移動する。このようにすると、栽培トレイ１６２と発光パネル１０２の高さ方向の距離を、植物の生長に合わせて大きくすることができる。
【００８１】
また、発光パネル１０２は、レール４００が延伸する方向において複数の領域に分割されており、各領域別に光の最大ピーク波長及び強度を調節することができる。制御部１４０は、植物の成長過程に合わせて、各領域の光の最大ピーク波長及び強度を制御する。
【００８２】
そして、栽培トレイ１６２が、レール４００のうち、発光パネル１０２が形成する錘の底面側の端部に来たとき、その栽培トレイ１６２の植物は収穫の時期になる。
【００８３】
以上、図面を参照して実施形態及び実施例について述べたが、これらは本発明の例示であり、上記以外の様々な構成を採用することもできる。
【符号の説明】
【００８４】
１０ 栽培装置
１００ 発光部
１０１ 伸張部
１０２ 発光パネル
１０３ タッチセンサ
１０４ 連結部
１０５ 外筒
１２０ 支持部
１３０ 調節部
１４０ 制御部
１７０ 固定部材
【図１】
2014161304.tif 000003
【図２】
2014161304.tif 000004
【図３】
2014161304.tif 000005
【図４】
2014161304.tif 000006
【図５】
2014161304.tif 000007
【図６】
2014161304.tif 000008
【図７】
2014161304.tif 000009
【図８】
2014161304.tif 000010
【図９】
2014161304.tif 000011
【図１０】
2014161304.tif 000012
【図１１】
2014161304.tif 000013
【図１２】
2014161304.tif 000014
【図１３】
2014161304.tif 000015
【図１４】
2014161304.tif 000016
【図１５】
2014161304.tif 000017
【図１６】
2014161304.tif 000018
【図１７】
2014161304.tif 000019
【図１８】
2014161304.tif 000020
【図１９】
2014161304.tif 000021
【図２０】
2014161304.tif 000022
【図２１】
2014161304.tif 000023
【図２２】
2014161304.tif 000024